(57)【要約】      （修正有）【課題】スリットロールの傷つき及び汚染を抑えて運搬することが出来るロール保持治具を提供する。【解決手段】単数又は複数のロールをロール幅方向に配した状態で保持するためのロール保持冶具１であって、発泡体から成るトレイ本体１０と、トレイ本体１０に形成され、ロールの形状に合わせた略半円柱形状を有し、かつロールが収納される収納凹部１１と、収納凹部１１の長手方向両端に正対向するように形成された切欠き部１２と、を備え、切欠き部１２は、挿通管が挿通されたロールを収納凹部１１に収納した後、切欠き部１２を通じて該挿通管をロールから抜き取ることが可能であるように形成されている。【選択図】図１
0003194852.tif 000002
【実用新案登録請求の範囲】
【請求項１】
単数又は複数のロールをロール幅方向に配した状態で保持するためのロール保持冶具であって、
発泡体から成るトレイ本体と、
前記トレイ本体に形成され、前記ロールの形状に合わせた略半円柱形状を有し、かつ該ロールが収納される収納凹部と、
前記収納凹部の長手方向両端に正対向するように形成された切欠き部と、を備え、
前記切欠き部は、挿通管が挿通された前記ロールを前記収納凹部に収納した後、該切欠き部を通じて該挿通管を該ロールから抜き取ることが可能であるように形成されていることを特徴とするロール保持治具。
【請求項２】
前記発泡体はポリオレフィン発泡体である、請求項１に記載のロール保持治具。
【請求項３】
前記収納凹部の少なくとも一部を覆うように配された緩衝材をさらに備える、請求項１又は２に記載のロール保持治具。
【請求項４】
前記緩衝材は気泡緩衝材である、請求項３に記載のロール保持治具。
【考案の詳細な説明】
【技術分野】
【０００１】
本考案は、ロール保持治具に関し、詳しくは、ロールを保持し、かつ運搬するための治具に関する。
【背景技術】
【０００２】
例えばポリオレフィン樹脂から成るシートは、有機溶媒耐性、電子絶縁性に優れることから、リチウムイオン二次電池など、種々の電池用セパレータとして使用されている。
このようなシートは、通常、円管状の支持管（コア）に巻回された巻回体（マザーロール）として構成されている。そして、出荷の際には、幅の広いシートを所望の寸法幅に裁断してから出荷している。電池用セパレータの場合、電池の寸法が様々なので、シートを電池の寸法に応じた幅に裁断（スリット）し、裁断されたシートをコアに捲回してスリットロールとして出荷している（特許文献１参照）。
【０００３】
例えばボールコンベア上で、スリットロールを搬送する際には、電池用セパレータとして求められる性質上、シートを傷つき及び埃による汚染等から保護する必要がある。そのため、スリットロールを収容箱などに収容して搬送している（特許文献２参照）。
【先行技術文献】
【特許文献】
【０００４】
【特許文献１】特開２００２−２７３６８４号公報
【特許文献２】特開２００７−１１９０４５号公報
【考案の概要】
【考案が解決しようとする課題】
【０００５】
しかしながら、スリットロールを収容箱に収容して搬送する際、衝撃等が収容箱に与えられることがある。この衝撃により、収容箱に変形が生じるおそれがあり、これにより、スリットロールに傷や汚れが付く可能性がある。
【０００６】
さらに、パイプ等の挿通管がスリットロールのコアに挿通されている場合、挿通管とともにロールを収容箱に収めたり、収容箱内で挿通管をロールに出し入れしたりすることが難しく、それによりロールの運搬も難しくなることがある。
【０００７】
本考案は、上述した従来の実情に鑑みてなされたものであり、スリットロールの傷つき及び汚染を抑えて運搬することが出来るロール保持治具を提供することを目的とする。
【課題を解決するための手段】
【０００８】
［１］  単数又は複数のロールをロール幅方向に配した状態で保持するためのロール保持冶具であって、
発泡体から成るトレイ本体と、
前記トレイ本体に形成され、前記ロールの形状に合わせた略半円柱形状を有し、かつ該ロールが収納される収納凹部と、
前記収納凹部の長手方向両端に正対向するように形成された切欠き部と、を備え、
前記切欠き部は、挿通管が挿通された前記ロールを前記収納凹部に収納した後、該切欠き部を通じて該挿通管を該ロールから抜き取ることが可能であるように形成されていることを特徴とするロール保持治具。
［２］  前記発泡体はポリオレフィン発泡体である、［１］に記載のロール保持治具。
［３］  前記収納凹部の少なくとも一部を覆うように配された緩衝材をさらに備える、［１］又は［２］に記載のロール保持治具。
［４］  前記緩衝材は気泡緩衝材である、［３］に記載のロール保持治具。
【考案の効果】
【０００９】
本考案のロール保持治具では、トレイ本体が発泡体から成るので、ロールの運搬時に、ロールを衝撃から防いでロールの傷つき及び汚染を抑えることが可能である。また、収納凹部の略半円柱形状がロールの形状に適合するので、ロールの傷つき及び汚染を抑えてロールを運搬することが可能である。さらに、切欠き部を通じて挿通管をロールから容易に抜き取ることができるので、ロールの取り扱い性が向上し、ロールの保持及び運搬が容易である。
【図面の簡単な説明】
【００１０】
【図１】図１（ａ）は、本考案のロール保持治具の一構成例を示す斜視図であり、そして図１（ｂ）は、その構成例の正面図である。
【図２】本考案のロール保持治具にロールを保持した状態を示す斜視図である。
【図３】本考案のロール保持治具の別の構成例を示す正面図である。
【考案を実施するための形態】
【００１１】
以下、本考案の実施の形態について、図面を参照しながら説明する。
図１（ａ）は、本考案のロール保持治具の一構成例を示す斜視図であり、そして図１（ｂ）は、その構成例の正面図である。図２は、図１（ａ）に示されるロール保持治具に、複数のロールをロール幅方向に並べて収納した状態を示している。
ロール保持冶具１は、単数又は複数のロール２０をロール２０の幅方向に配した状態で保持するために使用される。ロール２０をロール保持冶具１に収納した状態のままで、例えばボールコンベア等のコンベア上で、ロール２０を運搬したり、ロール２０にラベルを貼ったりすることが可能である。
ロール保持冶具１は、発泡体から成るトレイ本体１０と、トレイ本体１０に形成され、ロール２０の形状に合わせた略半円柱形状を有し、かつロール２０が収納される収納凹部１１と、収納凹部１１の長手方向両端に正対向するように形成された切欠き部１２と、を備え、切欠き部１２は、挿通管が挿通されたロール２０を収納凹部１１に収納した後、切欠き部１２を通じて挿通管をロール２０から抜き取ることが可能であるように形成されていることを特徴とする。
【００１２】
トレイ本体１０は、単数又は複数のロール２０を収納するために十分な寸法を有する。図１及び２に示されるロール保持治具１では、トレイ本体１０は、ロール２０の形状に適合するように長手方向、幅方向及び深さ方向を有する略ボックス状である。
トレイ本体１０は、発泡プラスチック等の発泡体から成る。発泡体によって、ロールの運搬時にロールを衝撃から防ぐことができる。発泡プラスチックは、ポリウレタン；ポリスチレン；ポリオレフィン、例えばポリエチレン又はポリプロピレン等でよく、耐衝撃性又はロールへの非侵襲性の観点から、ポリオレフィンであることが好ましい。
【００１３】
トレイ本体１０に形成されている収納凹部１１は、ロール２０の形状に合わせた略半円柱形状を有する。収納凹部１１にロール２０が収納される。収納凹部１１の長手方向は、トレイ本体１０の長手方向と対応する。
ロール断面が略円形であるため、略半円柱形状を有する収納凹部１１は、収納凹部１１とロール外形が適合した状態で単数又は複数のロール２０を収納できる。また、収納凹部１１にロール２０を収納した状態のままで、ロール２０の運搬又は回転も可能である。
【００１４】
収納凹部１１の長手方向両端には、少なくとも一対の切欠き部１２が、互いに正対向するように形成されている。切欠き部１２は、挿通管が挿通されたロール２０を収納凹部１１に収納した後、切欠き部１２を通じて挿通管をロール２０から抜き取ることが可能であるように形成されている。
挿通管は、ロール２０又はロールコア２１を挿通する管状部材である。挿通管の長手方向は、収納凹部１１の長手方向及びロール２０の幅方向と対応する。挿通管は、金属、プラスチック、紙、木材等で形成されることができる。また、挿通管の代わりに棒を使用するか、又は挿通管に棒若しくは追加の挿通管を挿通してもよい。
ロール２０の幅方向端部から突出している挿通管は、切欠き部１２に嵌め込まれるので、ロール２０に挿通管が挿通されていても、ロール２０を収納凹部１１に容易に収納することができる。
また、一対の切欠き部１２は、収納凹部１１の長手方向両端において、互いに正対向しているので、ロール２０の幅方向両端から突出している挿通管をそれぞれに受けて固定する。その場合、収納凹部１１に対するロール２０の位置合わせだけでなく、一対の切欠き部１２を通じて挿通管をロール２０に出し入れすることも可能である。
挿通管が複数のロール２０を挿通して複数のロール２０を連通している場合、挿通管とともに複数のロール２０を収納凹部１１に収納した後、一対の切欠き部１２を通じて挿通管を複数のロール２０から抜き取ることにより、複数のロール２０は、図２に示されるようにロール保持治具１に保持される。
【００１５】
収納凹部１１の少なくとも一部を覆うように緩衝材が配されていることも好ましい。緩衝材は、収納凹部１１の表面の一部又は全部を覆ってよい。緩衝材は、収納凹部１１からトレイ本体１０の幅方向端部まで延在してもよい。
図３は、緩衝材１３が収納凹部１１及びトレイ本体１０の幅方向両端を覆うように配された状態を示している。緩衝材１３によって、収納凹部１１とロール２０との直接接触が緩和され、ロール２０の傷つき又は汚染が抑えられる。
緩衝材１３は、ロール２０の質量又は寸法に応じて任意の材料から形成されてよいが、クッション性、ロール形状に対する追従性、及び取り扱い性の観点から、気泡緩衝材、例えばエアキャップ（登録商標）等であることが好ましい。
【００１６】
以上説明してきたように、ロール保持治具１では、トレイ本体１０が発泡体から成るので、ロール２０の運搬時には、ロール２０を衝撃から防いでロール２０の傷つき及び汚染を抑えることが可能である。また、収納凹部１１の略半円柱形状がロール２０の形状に適合するので、ロール２０の傷つき及び汚染を抑えてロール２０を運搬することが可能である。さらに、切欠き部１２を通じて挿通管をロール２０から容易に抜き取ることができるので、ロール２０の取り扱い性が向上し、ロールの保持及び運搬が容易である。
【００１７】
以上、本考案の実施の形態について説明してきたが、本考案はこれに限定されるものではなく、考案の趣旨を逸脱しない範囲で適宜変更可能である。
【産業上の利用可能性】
【００１８】
本考案によるロール保持冶具は、スリットロールの傷つき及び汚染を抑えて運搬することができるので、セパレータ用のロール保持治具として広く利用することができる。
【符号の説明】
【００１９】
１    ロール保持治具
１０    トレイ本体
１１    収納凹部
１２    切欠き部
１３    緩衝材
２０    ロール
２１    ロールコア（紙管又はプラコア）
【図１】
0003194852.tif 000003
【図２】
0003194852.tif 000004
【図３】
0003194852.tif 000005